(57)【要約】【課題】貸球供給ノズル１０３を配球位置に配置したままで、前扉３の開閉を行うことができるパチンコ機とする。【解決手段】遊技領域２２を覆う前扉３を前面枠２の側部に開閉可能に取付ける。球受皿４１を設けた受皿扉４を前扉３の下方位置に開閉可能に取付ける。パチンコ機の側方に配球する球貸機１０１が設置されている。前面枠２の前面には、球貸機１０１の貸球供給ノズル１０３が球受皿４１上に延びる。前面枠２には、球貸機から球受皿４１上に延びる貸球供給ノズル１０３の配球位置となる後方部位に、電気機器を配置した左側装飾パネル２４を固定して、前扉３を開放する際に、貸球供給ノズル１０３を避けて開放できる。【選択図】  図３
2004313610.tif 000002
【特許請求の範囲】
【請求項１】
前面枠の側部に、遊技領域を覆う前扉と前記前扉の下方位置に球受皿を設けた受皿扉とが開閉可能に取付けられたパチンコ機において、
前記前面枠には、パチンコ機の側方に配置される球貸機から前記球受皿上に延びる貸球供給ノズルの配球位置となる後方部位に、パネルが固定されて、前記前扉を開放する際に該前扉が前記貸球供給ノズルを避けて開放される構成とされていることを特徴とするパチンコ機。
【請求項２】
前方に膨出する球受皿が設けられた受皿扉には、貸球供給ノズルの先端が配置される部位の後壁に賞球口が形成されて、該受皿扉を開放する際に該受皿扉が前記貸球供給ノズルを避けて開放される構成とされていることを特徴とする請求項１記載のパチンコ機。
【発明の詳細な説明】
【０００１】
【発明の属する技術分野】
この発明は、パチンコ機に関する。
【０００２】
【従来の技術】
図１１に示すように、パチンコ機は、方形の外枠１ｍに囲まれ、この外枠１ｍの前面にほぼ外枠１ｍの前面を覆う前面枠２ｍが外枠ヒンジ１０ｍにより開閉可能に取付けられている。この前面枠２ｍにパチンコ機の主要部品が取付けられている遊技盤２０ｍが固定されている。遊技盤２０ｍには、上部に遊技領域２２ｍが形成され、この遊技領域２２ｍの下方に球発射装置やこれに連続する発射レールなどが設けられている。さらにこれらの下方に下皿３１ｍ、発射ハンドル３２ｍ、灰皿３３ｍなどがそれぞれ設けられている。
【０００３】
ここで、前面枠２ｍの左側に設けたヒンジにより前扉３ｍが開閉可能に取付けられ、また、その下方に受皿扉４ｍが前面枠２ｍの左側枠にヒンジにより開閉可能に取付けられている。この二枚の前扉３ｍと受皿扉４ｍは、前扉３ｍの下縁に沿って受皿扉４ｍの上縁に重なる構成とされている。係る従来の多くのパチンコ機では、前扉３ｍの下端縁が横方向に直線的に形成されていて、この方形の前扉３ｍの範囲内で前面枠に種々の装飾を施して、遊技者の趣味感を満足させている。
【０００４】
最近では、前扉３ｍの下端縁の一部を斜めに構成したり、曲線構成として、意匠感を増したパチンコ機も現れている。
【０００５】
一方、現金型なるパチンコ機では、図１２に示すように、球貸機１０１から延びる貸球供給ノズル１０３によって受皿上へパチンコ球を供給される。この貸球供給ノズル１０３は、新たに交換したパチンコ機にも対応できるようにほぼ同じ高さに設けられていて、球貸機本体１０２に対して、右方向に回転して、パチンコ機の前面に対してほぼ平行に配置して、球貸機本体１０２から供給される貸球が貸球供給ノズル１０３の先端から受皿上に流入するようにされている。
【０００６】
【特許文献１】特開平１１−２２１３２３号公報
【特許文献２】特開２００１−１９８３１３号公報
【０００７】
【発明が解決しようとする課題】
従来のパチンコ機では、いずれも前扉３ｍがその下縁の全域に沿って受皿扉４ｍの上縁に重なって閉じる構成とされていて、これによる装飾も限られたものになっている。
【０００８】
また、遊技中に、遊技領域２２ｍの釘間に遊技球が挟まったりするなど遊技に支障を生じると、ホール係員は前扉３ｍを開いて、遊技球を遊技領域から取り除くなど、頻繁に開閉する必要がある。この場合、現金型のパチンコ機においては、前扉３ｍを開放しようとすると、前扉３ｍが貸球供給ノズル１０３と衝突して、貸球供給ノズル１０３に損傷を与えることがある。特に、貸球供給ノズル１０３の先端が球受皿の上縁面より下方にまで侵入している場合には、貸球供給ノズル１０３は、前扉３ｍと球受皿４１ｍとの間に挟まれて、一層破損するおそれがある。これを避けるためには、貸球供給ノズル１０３内にパチンコ球が残留していないことを確認した上で、貸球供給ノズル１０３を水平または上方に回転して退避位置に移動してから前扉の開閉を行う必要があった。
【０００９】
そこで、この発明では、貸球供給ノズルを配球位置に配置したままで、前扉の開閉を行うことのできるパチンコ機とすることを目的としている。
【００１０】
【課題を解決するための手段】
請求項１の発明では、前面枠の側部に、遊技領域を覆う前扉と前記前扉の下方位置に球受皿を設けた受皿扉とが開閉可能に取付けられたパチンコ機において、前面枠には、パチンコ機の側方に配置される球貸機から球受皿上に延びる貸球供給ノズルの配球位置となる後方部位に、パネルが固定されて、前扉を開放する際に前扉が貸球供給ノズルを避けて開放される構成とされている。
【００１１】
これにより、現金型パチンコ機において、貸球供給ノズルの配球位置となる後方部位に前面枠に固定されたパネルが配置されるために、貸球供給ノズルを退避位置に移動しなくても前扉の開閉することができる。
【００１２】
請求項２の発明では、請求項１に記載のパチンコ機において、前方に膨出する球受皿が設けられた受皿扉には、貸球供給ノズルの先端が配置される部位の後壁に賞球口が形成されて、受皿扉を開放する際に該受皿扉が前記貸球供給ノズルを避けて開放される構成とされている。これにより、貸球供給ノズルを退避位置に移動しなくても、前扉のみならず受皿扉をも開閉することができる。
【００１３】
【発明の効果】
請求項１の発明では、前面枠には、パチンコ機の側方に配置される球貸機から球受皿上に延びる貸球供給ノズルの配球位置となる後方部位に、パネルが固定されて、前扉を開放する際に前扉が貸球供給ノズルを避けて開放される構成とされているために、貸球供給ノズルを退避位置に移動しなくても前扉の開閉可能なパチンコ機とすることができる。
【００１４】
さらに、請求項２の発明では、前方に膨出する球受皿が設けられた受皿扉には、貸球供給ノズルの先端が配置される部位の後壁に賞球口が形成されて、受皿扉を開放する際に該受皿扉が前記貸球供給ノズルを避けて開放される構成とされているために、前扉のみならず受皿扉をも貸球供給ノズルを退避位置に移動しなくても開閉可能なパチンコ機とすることができる。
【００１５】
【発明の実施の形態】
以下、この発明をいわゆる現金型のパチンコ機に適用した実施例１を、図面を参照して詳細に説明する。
【００１６】
図１に示すように、パチンコ機の台間に設置される球貸機１０１は、遊技島１００に取付けられていて、球貸機本体１０２から前面へ突出する貸球供給ノズル１０３が設けられている。この貸球供給ノズル１０３は、多くのパチンコ機にも対応できるようにほぼ同じ高さに設けられていて、球貸機本体１０２に対して、右方向及び上方向に回転可能に取付けられている。貸球供給ノズル１０３を右方向に回転して、パチンコ機の前面に対して平行に配置した配球位置と、上方に起立した退避位置とに移動することが可能になっている。
【００１７】
図１は、貸球供給ノズル１０３を右方へ平行に配置した配球位置とした状態を示し、球貸機本体１０２から供給される貸球は、貸球供給ノズル１０３を流下してノズル先端１０４から吐出される。通常貸球供給ノズル１０３を配球位置に配置して遊技される。貸球供給ノズル１０３を使用しない際には、貸球供給ノズル１０３を上方に起立させた収納位置に配置される（図示しない。）。
【００１８】
パチンコ機は、この球貸機１０１の右側に接して設置される。
【００１９】
パチンコ機の外枠１は、図２に示すように、矩形の枠状とされていて、一般に釘により直接遊技島１００に取付けられている。この外枠１の上下二カ所に固定されている外枠ヒンジ１０、１０により前面枠２が開閉可能に取付けられ、外枠１の下部１１を露出し、左右と上部が外枠１の外形に倣う同形とされて外枠１の前面を覆っている（図３参照）。
【００２０】
この前面枠２の内側に遊技盤２０が固定されている。遊技盤２０は、その裏面にパチンコ機の主要部品が取付けられ、また前面に略円形に固定された誘導レール２１により区画される遊技領域２２が設けられるもので、その上部は前面枠２に嵌合するように略方形とされ、一方、遊技領域２２の下方は、横幅の約三分の一程度に分割され、中央は直線的に形成され、その左右の三分の一程度は、方形から円弧状に切欠した形状にされている。
【００２１】
そして、この左側の切欠された部位には、前面枠２に電気機器としての装飾電球２３を配した左側のパネル、すなわち、左側パネル２４が前面枠２に直接固定されている（図４参照）。また、右側の切欠された部位にも、電気機器としての装飾電球２５を配置した右側のパネル、すなわち、右側パネル２６が前面枠２に固定されている。この左側パネル２４と右側パネル２６により、従来にない意匠感を遊技者に与えている。また、装飾電球２３，２５のための信号線２８や電源コードが遊技盤２０の背面で接続されている（図５参照）。
【００２２】
ここで、図３において、左側パネル２４は、正面から見て、配球位置とした貸球供給ノズル１０３の後方部位をカバーして設けられており、貸球供給ノズル１０３が前扉３にはみ出すことがないように形成されている。
【００２３】
遊技盤２０の下縁および左側パネル２４と右側パネル２６の下縁により略直線状に区画された下方には、遊技球発射槌２９などが収容されている矩形の腰板パネル３０が前面枠２に固定されている。この腰板パネル３０の左側には、遊技盤２０の裏面に設けられた賞球排出通路４３の賞球口４４が開口されている。
【００２４】
さらに腰板パネル３０の下方には、発射ハンドル３２が右側に、灰皿３３が左側に、さらに下皿３４が中央に、それぞれ設けられている。
【００２５】
遊技盤２０の前面には、図２、図３に示すように、遊技盤２０の前面を覆う前扉３が前面枠２の側部に設けた前扉ヒンジ３１、３１により開閉可能に取付けられている。この前扉３は遊技領域２２に対応する部位にガラスなどの透明板が嵌められている。なお、前扉３は遊技盤２０を覆っていて、その下端縁は左側パネル２４と右側パネル２６の内側に沿った形状とされた方形から切欠したように左右が下膨らみの円弧状に形成され、また、横幅の中央約三分の一の箇所では、その下端縁が腰板パネル３０の上縁前面に沿って直線的に形成されている。また、前扉３の下方に腰板パネル３０を覆う方形の受皿扉４が受皿扉ヒンジ４０により開閉可能に取付けられて、この二枚の扉により、前面枠２の遊技領域２２と腰板パネル３０を覆っている。なお、受皿扉４の中央上縁は、前扉３の中央下端縁によって覆い被され、前扉３を開放した上で受皿扉４を開放可能とされている。
【００２６】
図４および図６に示すように、この受皿扉４には、前方に膨出してパチンコ球を貯留する球受皿４１が一体成形により設けられている。また、球受皿４１には、貸球供給ノズル１０３が配球位置とされた際に、そのノズル先端１０４が配置される位置で、球受皿４１の後壁をなす受皿扉４の上縁が切欠されて賞球口４４が形成されている（図７参照）。この賞球口４４から後方に向かって短い賞球樋４２が突出形成され、賞球樋４２の先端が、遊技盤２０の裏面に設けられた賞球排出通路４３に接続して、賞球が、賞球排出通路４３から球受皿４１内に流入するようにされている。そして、貸球供給ノズル１０３が配球位置に配置されると、図３に示すように貸球供給ノズル１０３のノズル先端１０４は、賞球口４４の前面上方に配置され、受皿扉４を開放した際に、受皿扉４がノズル先端１０４にぶつかることなく開放可能とされている。
【００２７】
また、図３に示すように、球受皿４１には、貯留されたパチンコ球を遊技球発射槌２９に導く受皿樋４５が連続して形成されている。
【００２８】
以上詳述した実施例１のパチンコ機の作用について説明する。
図１に示すように、貸球供給ノズル１０３はパチンコ機の前面に対して平行位置とした配球位置にセットされ、ノズル先端１０４が球受皿４１の上方位置とされている。遊技者は、球貸機１０１から貸球の供給を受けて、遊技を開始する。
遊技領域２２に打付けられた遊技釘などに遊技球が挟まるなど遊技に障害が発生すると、ホール従業員が前扉３を開放し、遊技領域２２を露出して挟まった遊技球を取り除く。図２に示すように、ホール従業員がこの前扉３を開放するに際して、前扉３の下端縁は左側パネル２４の前面を避けた円弧状に形成されており、一方、貸球供給ノズル１０３はこの左側パネル２４の前面に配置されているために、貸球供給ノズル１０３を配球位置にセットたままの状態で、貸球供給ノズル１０３に衝突することなく前扉３を開放できる。
【００２９】
また、前扉３を開放して行う点検作業の際に、図８に示すように、前扉３を設置面に対して、任意の角度に開放した後に、貸球供給ノズル１０３の先端側を前扉３の内側に起立すれば、貸球供給ノズル１０３がストッパの機能を発揮して、前扉３が意に反して閉じることを防止して、容易に点検作業をすることができる。
【００３０】
また、遊技球発射槌２９の近傍でのトラブルを生じた際には、図３に示すように、前扉３を開放した上で、さらに受皿扉４も開放して、腰板パネル３０を露出して、受皿扉４の裏面などを点検する。この際、貸球供給ノズル１０３の先端が球受皿４１内に配置されているが、この部位の受皿扉４の上縁が切欠されているために、貸球供給ノズル１０３を配球位置にセットしたままの状態で、貸球供給ノズル１０３の先端に衝突することなく受皿扉４を開放することができる。
【００３１】
図９、図１０は、他の現金型のパチンコ機の実施例２を示し、遊技球発射槌２９ａが左側に設けられているパチンコ機に適用した例である。この実施例２のパチンコ機においても、球貸機１０１の右側に接して設置される。
【００３２】
実施例２のパチンコ機では、図示しない外枠の前面を覆って前面枠２ａが開閉可能に取付けられている。この前面枠２ａの内側に、裏面にパチンコ機の主要部品が取付けられた遊技盤２０ａが固定されている。遊技盤２０ａには、前面に略円形に固定された誘導レール２１ａにより区画される遊技領域２２ａが設けられている。遊技盤２０ａの上部は前面枠２ａに嵌合するように略方形とされる一方、遊技領域２２ａの下方では、横幅の右側から約三分の二程度が直線的に形成され、その左側が斜め上方に傾斜した形状とされている。
【００３３】
そして、この左側の斜め上方に傾斜した部位には、前面枠２ａに左側パネル２４ａが前面枠２ａに直接固定されて、従来にない意匠感を遊技者に与えている。
【００３４】
ここで、左側パネル２４ａの上縁は、正面から見て、配球位置とした貸球供給ノズル１０３の後方位置をカバーする斜めに直線的な形状とされ、貸球供給ノズル１０３が前扉３ａにはみ出すことがないようにしている。この左側パネル２４ａの上縁に対応して、前扉３ａの左側の下端縁は斜めに直線的に切欠した形状とされている。また、左側パネル２４ａの下縁は、貸球供給ノズル１０３の下側の後方位置をカバーするとともに、その先端１０４に対応した部位が下方に突出している。
【００３５】
遊技盤２０ａの下縁および左側パネル２４ａの下縁により略直線状に区画された下方には、腰板パネル３０ａが前面枠２ａに固定されている。この腰板パネル３０ａの左側には、遊技球発射槌２９ａが設けられて、遊技球を上方に発射可能とされている。また、遊技盤２０ａの裏面に設けられた図示しない賞球排出通路に連続する賞球口４４ａが腰板パネル３０ａの右側に開口されている。
さらに腰板パネル３０ａの下方には、発射ハンドル３２ａが右側に、下皿３４ａが中央に、それぞれ設けられている。
【００３６】
遊技盤２０ａの前面には、遊技盤２０ａの前面を覆う前扉３ａが前面枠２ａの側部に設けた前扉ヒンジ３１ａ、３１ａにより開閉可能に取付けられている。この前扉３ａは遊技領域２２ａに対応する部位にガラスなどの透明板が嵌められている。なお、前扉３は遊技盤２０ａを覆っていて、その下端縁は左側パネル２４ａの内側に沿って、方形から切欠したように左が斜めに切欠されている。
【００３７】
前扉３ａの下方には、腰板パネル３０ａを覆う方形の受皿扉４ａが図示しない受皿扉ヒンジにより開閉可能に取付けられている。この受皿扉４ａには、前方に膨出してパチンコ球を貯留する球受皿４１ａが一体成形により設けられている。受皿扉４ａは、腰板パネル２４ａのほぼ前面を覆うとともに、遊技球発射槌２９ａを駆動する遊技球発射機構を露出して点検可能なように下皿３４ａの左側から下方に延び、受皿扉４ａの左部分が、ほぼ前面枠２ａの内側に沿い、その縦幅が著しく広く形成されている。そして、受皿扉４ａの上縁の左側では、左側パネル２４ａの下縁に沿った形状とされ、球受皿４１ａ貸球供給ノズル１０３の先端１０４の部位で下方に突出している左側パネル２４ａの下縁に対応して、凹部が設けられている。これにより、受皿扉４ａがノズル先端１０４にぶつかることなく開放可能とされている。また、前扉３ａの前面下方には、灰皿３３ａも設けてられている。また、受皿扉４ａの上縁の中央から右側では、前扉３ａの下縁によって覆い被されていて、前扉３ａを開放した上で受皿扉４ａを開放可能とされている。
【００３８】
従って、実施例１のパチンコ機と同様に、この実施例２においても、貸球供給ノズル１０３を配球位置にセットしたままの状態で、貸球供給ノズル１０３に衝突することなく前扉３ａを開放できる。
また、遊技球発射槌２９ａの近傍でのトラブルを生じた際にも、前扉３ａを開放した上で、さらに受皿扉４ａも開放して、受皿扉４の裏面などを点検する。この際、貸球供給ノズル１０３を配球位置にセットしたままの状態で、貸球供給ノズル１０３の先端に衝突することなく受皿扉４ａを開放することができる。
【００３９】
なお、この実施例２の受皿扉４ａの左側は著しく縦幅を大きく形成しているために、図示しない受皿ヒンジを実施例１のパチンコ機よりもその取付強度をさらに大きくすることができる。
【図面の簡単な説明】
【図１】実施例１の遊技島に設置されたパチンコ機の正面図
【図２】前扉を開いた状態の正面図
【図３】受皿扉を開いた状態の正面図
【図４】左側パネルを示す一部の斜視図
【図５】左側パネルの裏面を示す斜視図
【図６】平面図
【図７】図６におけるＡ−Ａ線断面図
【図８】貸球供給ノズルをストッパに利用している状態の正面図
【図９】実施例２を示す正面図
【図１０】実施例２の前扉を開いた状態の正面図
【図１１】従来のパチンコ機を示す斜視図
【図１２】従来のパチンコ機の問題点を示す模式図である。
【符号の説明】
１０１…球貸機
１０３…貸球供給ノズル
２…前面枠
３…前扉
４…受皿扉
２０…遊技盤
２２…遊技領域
２４…左側パネル
２６…右側パネル
２７…球貸操作部
４１…球受皿
【図１】
2004313610.tif 000003
【図２】
2004313610.tif 000004
【図３】
2004313610.tif 000005
【図４】
2004313610.tif 000006
【図５】
2004313610.tif 000007
【図６】
2004313610.tif 000008
【図７】
2004313610.tif 000009
【図８】
2004313610.tif 000010
【図９】
2004313610.tif 000011
【図１０】
2004313610.tif 000012
【図１１】
2004313610.tif 000013
【図１２】
2004313610.tif 000014